(57)【要約】【課題】  混合機、攪拌機、分散機その他攪拌軸を有する機器の軸封装置において、極微量のコンタミでも処理材料に混入しないようにする。【解決手段】  攪拌軸（１０）は、軸受（１２）により軸受ケース（１１）に回転自在に支持されている。上記軸受（１２）の下方には、間隙をあけて上方シール部材（１５）と下方シール部材（１６）が設けられ、その先端は、上記攪拌軸（１０）に嵌着したスリーブ（１４）の外周に弾性的に摺接している。上記下方シール部材（１６）の下方には、異物を溜める溜め部（１９）が形成され、この溜め部（１９）には、吸引ノズル（２５）が開口している。上記上方シール部材（１５）と下方シール部材（１６）間の間隙部（１８）には吸引路（２６）が開口している。上記吸引ノズル（２５）及び吸引路（２６）に吸引作用を生じさせると、シール部材を確実にスリーブに密着し、異物は吸引除去される。【選択図】      図１
2006043648.tif 000002
【特許請求の範囲】
【請求項１】
攪拌槽内に延びる攪拌軸を軸受部で支持し該軸受部の下方にシール部材を設けて軸封するようにした攪拌軸の軸封装置であって、上記シール部材は軸受部側に位置する上方シール部材と、該上方シール部材との間に間隙を存して攪拌槽側に位置する下方シール部材を具備し、上記下方シール部材の下方に異物の溜り部を形成し、該溜り部を吸引すると共に上記上下のシール部材間の上記間隙部を吸引する吸引手段を設けたことを特徴とする攪拌軸の軸封装置。
【請求項２】
上記異物の溜り部は、攪拌軸に受け皿を設けることにより形成されている請求項１に記載の攪拌軸の軸封装置。
【請求項３】
上記上方シール部材と下方シール部材間には、上記間隙部を保持するための間隙保持手段が設けられている請求項１に記載の攪拌軸の軸封装置。
【発明の詳細な説明】
【技術分野】
【０００１】
本発明は、混合機、攪拌機、分散機その他攪拌槽内でブレードを回転して各種の処理を行うようにした機器において、上記ブレードを回転するための攪拌軸を軸封する軸封装置に関するものである。
【背景技術】
【０００２】
プラネタリーミキサー等の機器は、攪拌槽内でブレードを回転させるための攪拌軸をボールベアリング等の軸受で支持し、該軸受部等から生じるコンタミが攪拌槽内に影響を与えないようシール部材で軸封されている（例えば、特許文献１参照）。図２は、そのような軸封装置の一例を示し、攪拌軸（１）は、軸受ケース（２）に設けたボールベアリング等の軸受（３）で回転自在に支持され、その下方には攪拌軸（１）に嵌着したスリーブ（４）に弾性的に摺接するリップシール等のシール部材（５）、（６）を設け、該シール部
材（５）、（６）をシールホルダー（７）で保持することにより攪拌軸を軸封している。
【０００３】
上記構成により、通常の軸封は可能であるが、微視的にみると、微細なコンタミが攪拌槽に入り込むおそれがあった。すなわち、上記軸受にはグリースが供給されているが、この軸受から漏れたグリースを上下のシール部材で確実にシールすることができないと、下方にグリースが流れることがあり、さらに攪拌軸（１）とスリーブ（４）間で摩耗による金属成分の微粉末が生じたり、シール部材（５）、（６）が摩滅してゴム成分の微粉末が生じたりして攪拌槽内に混入することがある。そのような微細なコンタミは、通常の処理材料のときは、特に問題とならないことも多いが、電子部品材料の攪拌、分散などの処理加工においては、極微量でも問題となる場合があった。
【０００４】
上記特許文献１に記載の軸封部では、コンタミを蒸気と共に流出するようにしているが、上述の如き電子部品材料の処理の場合、攪拌槽を密閉し該槽内を真空引きして負圧状態で処理を行うことが多いので、さらに問題があった。すなわち、上記真空引き作用は、上記シール部材にも波及し、上記スリーブに接する下方のシール部材（６）の先端は図２鎖線で示す方向に引かれる傾向になるから、該シール部材の先端が浮き上がってシールが不確実になるおそれがあった。そのため、処理材料中へのコンタミの混入が一層起こりやすくなる現象が生じていた。
【特許文献１】特開２００１−８７６３８号公報（特許請求の範囲、図１、図２）
【発明の開示】
【発明が解決しようとする課題】
【０００５】
本発明の解決課題は、混合機、攪拌機、分散機その他攪拌軸を有する機器の軸封装置において、攪拌槽内を真空引きして処理を行う場合であっても、処理材料中へのコンタミの混入を確実に防止できる攪拌軸の軸封装置を提供することである。
【課題を解決するための手段】
【０００６】
本発明によれば、攪拌槽内に延びる攪拌軸を軸受部で支持し該軸受部の下方にシール部材を設けて軸封するようにした攪拌軸の軸封装置であって、上記シール部材は軸受部側に位置する上方シール部材と、該上方シール部材との間に間隙を存して攪拌槽側に位置する下方シール部材を具備し、上記下方シール部材の下方に異物の溜り部を形成し、該溜り部を吸引すると共に上記上下のシール部材間の上記間隙部を吸引する吸引手段を設けたことを特徴とする攪拌軸の軸封装置が提供され、上記課題が解決される。
【発明の効果】
【０００７】
本発明は上記のように構成され、シール部材間に間隙部を形成し、かつ下方シール部材の下方に異物の溜め部を設け、該間隙部及び溜め部を吸引手段で吸引するようにしたから、異物が攪拌槽内に侵入するおそれがなく、しかも攪拌槽内を真空引きするために設けられている吸引手段を利用することができるので、構成が簡単である。その上、上方シール部材と下方シール部材間に形成した上記間隙部を吸引するようにしたから、槽内を真空引きする際に下方シール部材の先端に攪拌槽側に引張る方向の力が作用してもこの力に対坑して吸引作用により軸受部側に引張る方向の力を作用させることができ、また、上方シール部材も確実に攪拌軸に密着され、それにより各シール部材の先端が確実に攪拌軸に摺接してコンタミの混入を防止できると共に該間隙部に入り込んだ異物を除去することもできる。
【０００８】
さらに、上記溜り部を形成する受け皿を攪拌軸に設けると、受け皿は攪拌軸と共に回転するので、溜め部を吸引するノズルを固定した状態で溜り部内の異物を充分に吸引することができ、異物の除去が簡単である。なお、上下のシール部材間に、間隙保持手段を設けておけば、間隙部を吸引した際に各シール部材が移動して上記間隙部が塞がれるというおそれがなく、長期にわたって使用することができる。
【発明を実施するための最良の形態】
【０００９】
図１は、本発明をプラネタリーミキサー等のミキサーに適用した一実施例を示し、攪拌軸（１０）は、軸受ケース（１１）内に設けたボールベアリング等の軸受（１２）により回転自在に支持され、攪拌槽（図示略）に延びる下部にはブレード（１３）の上部が固着されている。
【００１０】
上記攪拌軸（１０）には、スリーブ（１４）が嵌挿され、該スリーブ（１４）に弾性的に摺接するようリップシール等で構成された上方シール部材（１５）と下方シール部材（１６）が設けられ、シールホルダー（１７）で保持されている。該上方シール部材（１５）と下方シール部材（１６）は、その先端が逆向きになるようにスリーブに摺接し、該シール部材間には、間隙が形成されている。該間隙部（１８）は、後記するような吸引手段により該間隙部（１８）内の空気を吸引できるよう適宜の間隔に形成され、吸引した際に該間隙部が閉塞されないよう間隙保持手段を設けることができる。該間隙保持手段としては、上記シールホルダーの内面に上方シール部材と下方シール部材にそれぞれ係合するよう段部を形成したり、間隙部に通気することができる部材、例えばＣ型リングやランタンリングを設ければよい。
【００１１】
上記下方シール部材（１６）の下方には、上方から落下する異物を溜める溜め部（１９）が形成されている。図において、該溜め部（１９）は、ブレードの上部（２０）の外周にリング（２１）及び環状フランジ（２２）を固定して受け皿（２３）を形成してあるが、シールホルダー（１７）側に受け皿を形成することもできる。
【００１２】
上記受け皿（２３）には、吸引手段として真空源（図示略）に連通する吸引パイプ（２４）の吸引ノズル（２５）が開口している。また、上記シールホルダー（１７）に上記間隙部（１８）に開口するよう吸引路（２６）を形成し、該吸引路（２６）と上記吸引パイプ（２４）を吸引ホース（２７）により連結してある。なお、上記吸引ノズル（２５）と吸引路（２６）をそれぞれ独立した経路で真空源に連通して負圧を個々に調整できるようにしてもよい（図示略）。
【００１３】
上記吸引手段により、上記吸引路（２６）及び吸引ノズル（２５）に吸引作用を生じさせると、上記溜め部（１９）及び間隙部（１８）に溜った異物を吸引除去することができる。また、下方シール部材（１６）を間隙部側から吸引することにより、該下方シール部材（１６）の先端が攪拌槽側にめくられないようにでき、同時に上方シール部材（１５）を上記スリーブ（１４）の外周に確実に密着させることができ、確実にシールすることができる。
【００１４】
上記実施例は、プラネタリーミキサー等のミキサーについて説明したが、攪拌機、分散機その他適宜機器に本発明を適用することができる。
【図面の簡単な説明】
【００１５】
【図１】本発明の一実施例を示す断面図。
【図２】従来の軸封装置の一例を示す説明図。
【符号の説明】
【００１６】
１０    攪拌軸
１２    軸受
１４    スリーブ
１５    上方シール部材
１６    下方シール部材
１７    シールホルダー
１８    間隙部
１９    溜り部
２３    受け皿
２４    吸引パイプ
２５    吸引ノズル
２６    吸引路
２７    吸引ホース
【図１】
2006043648.tif 000003
【図２】
2006043648.tif 000004